Podtech/llm-jp-corpus-v4-ja_patent huggingface dataset:
(57)【要約】【課題】本考案は机上の鉛筆作業時に発生する消しゴム屑を、手際よく清掃する為に、掌中的に小形な使い易い構造として作製した物である。【解決手段】本考案は既存の粘着テープ式清掃器を、机上用に掌中的に小形化する為、適度なテープ幅、テープ材の厚み、粘着度そして大きさを新しく工夫し構成した。鉛筆作業時の作業性の向上に効果がある。又、鉛筆の有用性向上にも及ぶ効果がある。【選択図】図１
0003133130.tif 000002
【実用新案登録請求の範囲】
【請求項１】
粘着テープ式清掃器を机上用に小形化し、掌中的取扱容易構造とし、主として鉛筆による消
しゴム屑を除去する事を特徴とする、小形粘着テープ式ゴミ清掃器。
【考案の詳細な説明】
【技術分野】
【０００１】
本考案は、既存の粘着テープ式清掃器を、机上用として、掌中的に小形化した物に関するも
のである。
【背景技術】
【０００２】
既存の製品として粘着テープ式清掃器が存在しており、駆動源不要で簡単にゴミが清掃出来
る構造であった。
【考案の開示】
【考案が解決しようとする課題】
【０００３】
既製品は最小の物でも机上用としては大きく、文房具として机上鉛筆作業上には使えない。
形を掌中的に小形化し、主として鉛筆による消しゴム屑の清掃を可能にしようとしている。こ
の事により前述の形式からの展開を図ろうとするものである。
【課題を解決するための手段】
【０００４】
既存の粘着テープ（巻き付け形、粘着剤外側）を掌中的に小形化し、一巻き目毎に既存技術
の切断用ミシン目を入れ、不使用時ゴミ付着防止の為の開閉ケースに収納する。使用時はケー
スを開けて、テープを紙面に当てて転がす。この方法により前述の問題点を解決している。
【考案の効果】
【０００５】
鉛筆作業時消しゴム屑の発生が伴う。この屑を発生次第即座に清掃吸収して行けたら、作業
性が向上する。屑を紙面から除去する時の煩わしさ、書く作業時のやり辛さ、屑の散乱等を解
消し、更に鉛筆の有用性向上にもなる。又他のゴミ清掃用としても使用可能である。これによ
り意図する掌中的使用が可能となり、本来の目的が達せられる。
【考案を実施するための最良の形態】
【０００６】
既存の粘着テープ式清掃器はテープ幅が広く大きい。これを、鉛筆書き紙面に当てる適度な
テープ幅、テープ材の厚み、粘着度そして大きさに構成する。このテープを掌中的に小形化し
たケースに収納し、使用時と不使用時の開閉を行う。
【実施例】
【０００７】
以下、添付図面に従って一実施例を説明する。１は粘着剤を外側にして芯５に巻いたテープ
である。テープ１は内ケース２と外ケース３によるケースに収納する。テープはケースに着脱
し交換する。テープには一巻き目毎にミシン目４が入れてあり、ゴミ付着の程度により切り取
って新しくする。ミシン目の両側には素地面６を設けてあり、切り取りを容易にしている。一
巻き目毎に入れてあるミシン目は、ほぼミシン目位置７の様になる。
【０００８】
机上の鉛筆作業時に発生する消しゴム屑を、手際よく清掃する為に、掌中的に小形化した物
である。従来、適切な当該器具がなかったが、これにより解決される。
【図面の簡単な説明】
【０００９】
【図１】本考案の小形清掃テープ、消しゴム屑清掃テープの実施例を示す正面図である。
【図２】同上の、ケースを閉じた図である。
【図３】正面図に対する右側面図である。
【図４】右側面図のＧ−Ｈ断面図である。
【図５】正面図のＡ−Ｂ断面図である。
【図６】正面図のＣ−Ｄ断面図である。
【図７】正面図のＥ−Ｆ断面図である。
【図８】底面図のテープ部分である。
【符号の説明】
【００１０】
１  テープ（粘着剤外側。貼って剥がせるテープ同等品とする。）
２  内ケース
３  外ケース
４  テープのミシン目
５  テープの芯
６  テープの素地面
７  テープのミシン目位置
【図１】
0003133130.tif 000003
【図２】
0003133130.tif 000004
【図３】
0003133130.tif 000005
【図４】
0003133130.tif 000006
【図５】
0003133130.tif 000007
【図６】
0003133130.tif 000008
【図７】
0003133130.tif 000009
【図８】
0003133130.tif 000010
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
粘着剤を外側にして巻いた、一旦貼っても又剥がせて、一回り毎に切り取り可能なテープと、開閉式の保持ケースとを着脱交換式に組み合わせて、掌中的使用方式に小形化した、操作柄のない粘着テープ式ゴミ清掃器。
(57)【要約】      （修正有）【課題】安くて強度の強いダンボール製胴枠を作る。【解決手段】国産のダンボールを使って胴枠の胴部と角部分を複数枚貼り合わせる多層構造にして、強度を強くする。【選択図】図１
0003133176.tif 000002
【実用新案登録請求の範囲】
【請求項１】
四角形をしたダンボール製の胴枠において、その辺部と角部が、複両面ダンボールを２枚貼り合わせた、２層ダンボールから成ることを特徴とする、ダンボール製胴枠。
【請求項２】
四角形をしたダンボール製の胴枠において、辺部が複両面ダンボールの２層からなり、角部が複両面ダンボールを３枚貼り合わせた３層から成ることを、特徴とするダンボール製胴枠。
【請求項３】
四角形をしたダンボール製の胴枠において、その辺部が複両面ダンボールを２枚貼り合せた、２層ダンボールからなり、角部が複両面ダンボールを４枚貼り合せた４層からなることを、特徴とするダンボール製胴枠。
【請求項４】
四角形をしたダンボール製の胴枠において、辺部が複両面ダンボール１枚の単層ダンボールからなり、角部は複両面ダンボールを２枚貼り合わせた２層ダンボールから成ることを特徴とする、ダンボール製胴枠。
【請求項５】
四角形をしたダンボール製胴枠において、辺部が復両面ダンボールの単層から成り、角部が複両面ダンボールを３枚貼り合わせた３層ダンボールから成ることを特徴とする、ダンボール製胴枠。
【請求項６】
請求項１、請求項２、請求項３、請求項４、請求項５、の胴枠において、辺部に胴枠の蓋及び底になる、フラップ片が形成されていることを、特徴とする蓋及び底付の胴枠。
【考案の詳細な説明】
【技術分野】
【０００１】本発明はダンボール製の胴枠の分野に属する。
【背景技術】
【０００２】従来から輸出梱包に使われているダンボール製胴枠は、強度の強いものが要求されるため、複両面強化ダンボール（ＡＡダンボール）とか、複複両面ダンボール（トライウォール）が圧倒的に多く使用されている。
【考案の開示】
【考案が解決しようとする課題】
【０００３】これら高強度のＡＡダンボールとか、トライウォールの原紙は日本で作ることが出来ないため、米国やカナダからの輸入に依存しており、又価格も通常のダンボールに比べて数倍高い現状がある。
【課題を解決するための手段】
【０００４】この課題を解決する手段として、胴枠に国産の強化複両面ダンボールを複数枚貼り合わせて多層化することで、構造的に強度を強くし、高強度のダンボール製胴枠を作るものである。
【考案の効果】
【０００５】従来輸出梱包には国産のダンボールは強度が弱いため、不向きと言われていたが、これを構造的に補い、安価で強度の強い胴枠の供給が可能となった。
【考案を実施するための最良の形態】
【０００６】胴枠に使用するダンボールは国産の複両面強化ダンボールを使い、辺部はこの強化ダンボールを２層の構成にし、更に荷重が大きくかかる角部は３層の構成にすることで、高強度の胴枠を作ることが出来る。
【実施例１】
【０００７】使用するダンボールは、ライナーがＫ７又はＫ６で、中芯は強化芯の複両面ダンボールを使う。
【実施例２】
【０００８】胴枠１の辺部１Ａが複両面ダンボールの単層である場合、角部分１Ｂはこの複両面ダンボールを２枚又は３枚貼り合わせて、２層又は３層の構成で作る。
【実施例３】
【０００９】胴枠１の辺部１Ａが複両面ダンボールの２層構成である場合、角部１Ｂは２層、又は更に１枚又は２枚貼り合わせて３層や４層にすることで一層強い胴枠をつくることができる。
【実施例４】
【００１０】胴枠１の角部１Ｂの折り曲げ線の付け方は、曲げ角度９０度の場合、ダンボールに罫線割れを起こさないように、太めの罫線を１本付ける。１８０度折り曲げる場合は、同じく太めの罫線を、３ｃｍ〜６ｃｍ間隔をあけて２本付けて、９０度折りを２箇所つくり、合わせて１８０度曲げるようにする。
【実施例５】
【００１１】角部１Ｂのダンボールの構成が、３層構成になっていて折り曲げ線が付け難い場合は、３層の中の中間層の部分を３ｃｍ〜６ｃｍ離して貼り合わせ、角の部分が実質２層になるように作ると、折り曲げやすく作ることが出来る。
【実施例６】
【００１２】ダンボールは荷重に対し、強度が出るようにフルートの方向が垂直になるように使うが、辺部１Ａが単層の場合、フルートに沿って折れ易いので、この場合はフルートが水平になるように作ると折れ難くなる。
辺部１Ａが２層の場合においても、１層は垂直方向で他の１層は水平方向に貼り合わせると、折れ難い胴枠１を作ることができる。
【実施例７】
【００１３】図１は辺部１Ａが単層で、角部１Ｂが２層の構成になっている胴枠の実施例の斜視図である。
【実施例８】
【００１４】図２は辺部１Ａが単層で、角部１Ｂが２層構成になっている胴枠１の実施例を上から見た図である。
【実施例９】
【００１５】図３は辺部１Ａが単層で、角部１Ｂが３層構成になっている胴枠１の実施例を上から見た図である。
【実施例１０】
【００１６】図４は辺部１Ａと角部１Ｂが、いずれも２層構成の胴枠１の実施例を上から見た図である。
【実施例１１】
【００１７】図５は辺部１Ａが２層で、角部１Ｂが３層構成になっている胴枠１の実施例を上から見た図である。
【実施例１２】
【００１８】図６は角部１Ｂの構成が３層構成で、中間層のダンボールが３ｃｍ〜６ｃｍ離れた状態で貼り合せてある角部１Ｂの実施例を上から見た図ある。
【実施例１３】
【００１９】図７は辺部１Ａが２層で、角部１Ｂが４層構成になっている胴枠１の実施例を上から見た図である。
【実施例１４】
【００２０】図８は胴枠１の辺部１Ａの上面に蓋となる、フラップ片１Ｃが形成してある実施例の斜視図である。
また実施例に示していないが、蓋と同様辺部１Ａの下面に底となるフラップ片を付けて、胴枠１が全体で箱となるように作ることもできる。
【産業上の利用の可能性】
【００２１】本胴枠の最大の特徴は、強い強度が要求されている輸出梱包用の胴枠分野において、従来独占的に多く使用されているトライウォールダンボールに対し、国産のダンボールを使用して構造的に同程度の強度を持たせることが可能となり、今後この分野において広く使用される事が期待できる。
【図面の簡単な説明】
【００２２】
【図１】胴枠全体の斜視図である。
【図２】辺部が単層で角部が２層構成の平面図
【図３】辺部が単層で角部が３層構成の平面図
【図４】辺部が２層で角部も２層構成の平面図
【図５】辺部が２層で角部が３層構成の平面図
【図６】角部が３層で中間層を離して貼り合わせた平面図
【図７】辺部が２層で角部が４層構成の平面図
【図８】胴枠の上辺にフラップ片が付いた斜視図
【符号の説明】
【００２３】１      胴枠
１Ａ    辺部
１Ｂ    角部
１Ｃ    蓋フラップ
【図１】
0003133176.tif 000003
【図２】
0003133176.tif 000004
【図３】
0003133176.tif 000005
【図４】
0003133176.tif 000006
【図５】
0003133176.tif 000007
【図６】
0003133176.tif 000008
【図７】
0003133176.tif 000009
【図８】
0003133176.tif 000010
(57)【要約】【課題】設計・製図にあたり、直線定規を用いて、その長手方向の縁辺によって描かれる直線にそって、平行線を描くについて、予め定規内に設けてある縁辺の全縁に亙り表示した平行指示線によって、平行線を描くことにより、簡便であり、そして正確に、迅速に、所望の間隔の平行線を描くことに便利な直線定規を得る。【解決手段】透明で長手方向の一方の縁辺より、１ｍｍ間隔、二条の２ｍｍ間隔の全縁辺に亙る平行指示線を表示し、他の長手方向の縁辺より、二条の２ｍｍ間隔、１ｍｍ間隔の全縁辺に亙る平行指示線を表示したことを特徴とする直線定規。【選択図】図１
0003133177.tif 000002
【実用新案登録請求の範囲】
【請求項１】
透明で長手方向の一方の縁辺より、１ｍｍ間隔、二条の２ｍｍ間隔の全縁辺に亙る平行指示線を表示し、他の長手方向の縁辺より、二条の２ｍｍ間隔、１ｍｍ間隔の全縁辺に亙る平行指示線を表示したことを特徴とする直線定規。
【考案の詳細な説明】
【技術分野】
【０００１】この考案は、設計・製図にあたり、平行線を描き易くした直線定規に関するものである。
【背景技術】
【０００２】  通常の直線定規にはその縁辺にそって縦目盛が施されているが、設計・製図にあたり、その長手方向の縁辺によって描かれる直線にそって、平行線を描くには、目分量では正確さに欠けるので、目盛によってその間隔を測り、平行線を描線するのがよいとしても、それは手数を要し繁雑な作業である。そこで縁辺に対して断続的に平行目盛を表示したものがあるが、その平行目盛は短い線であって、描線に際して合わせづらい面があることは否めない。
【考案の開示】
【考案が解決しようとする課題】
【０００３】  この考案は、設計・製図にあたり、直線定規を用いて、その長手方向の縁辺によって描かれる直線にそって、平行線を描くについて、予め定規内に設けてある縁辺の全縁に亙り表示した平行指示線によって、平行線を描くことにより、簡便であり、そして正確に、迅速に、所望の間隔の平行線を描くことに便利な直線定規を得るものである。
【課題を解決するための手段】
【０００４】  透明で長手方向の一方の縁辺より１ｍｍ間隔、二条の２ｍｍ間隔の全縁辺に亙る平行指示線を表示し、他の長手方向の縁辺に二条の２ｍｍ間隔、１ｍｍ間隔の全縁辺に亙る平行指示線を表示したことを特徴とする直線定規であり、当初に縁辺で描いた直線にそって、この直線定規を上側にずらして定規に表示された平行指示線をそれに合わせ描線することにより、一定間隔の平行線を効率的に描くことができる。
【考案の効果】
【０００５】  この考案の直線定規は、その縁辺（１）あるいは縁辺（１’）によって直線を引き、それに平行な直線を引くとき、平行線目盛をその線の上に重ね合わせ、直線を引くことによって正確に一定間隔の平行線を描くことができる。この際、平行線目盛は縁辺（１），（１’）の全縁辺に亙り表示してあることにより、描線上にそれらを重ねて合わせ易く、それによって正確、迅速に所望の間隔の平行線を描くことができ、また一方の縁辺より１ｍｍ間隔、二条の２ｍｍ間隔の全縁辺に亙る平行指示線を表示し、他の縁辺に二条の２ｍｍ間隔、１ｍｍ間隔の全縁辺に亙る平行指示線を表示してあることにより、それらの間隔は作図上最も頻繁に用いられる間隔に相当し、随時選択して使用に当たり有用である。
【考案を実施するための最良の形態】
【０００６】  透明で長手方向の一方の縁辺より、１ｍｍ間隔、二条の２ｍｍ間隔の全縁辺に亙る平行指示線を表示し、他の長手方向の縁辺より、二条の２ｍｍ間隔、１ｍｍ間隔の全縁辺に亙る平行指示線を表示したことを特徴とする直線定規の構成とする。
【実施例】
【０００７】  添付図面によってこの考案を説明すると、図１（ａ）に示すように直線定規（Ａ）は、適宜の厚さで透明の合成樹脂製などで作られており、両縁辺である縁辺（１）、縁辺（１’）にそって目盛（２）［１／１００目盛］、目盛（２’）［１／５０目盛］が表示されている。そして図示のように双方の縁辺（１）（１’）に沿って、全縁辺に亙り平行指示線（３），（３’），（３’’）が表示され、それらは縁辺（１）側に於いて順次１ｍｍ，２ｍｍ，２ｍｍ間隔とし、縁辺（１’）側に於いては順次２ｍｍ，２ｍｍ，１ｍｍ間隔とし、それらはまた合わせて広巾で５ｍｍの平行指示線（４），（４’）となって表示されている。図１（ｂ）は前記寸法の割合を説明する図［単位１ｍｍ］である。【０００８】  ここでたとえば縁辺（１）によって直線を引き、それに平行な直線を引くとき、平行指示線（３）をその描いた線の上に重ね合わせ、縁辺（１）にそって直線を引くことにより正確に１ｍｍ間隔の平行線を描くことができる。また平行指示線（３’）を当初の描線の上に重ね合わせ、直線を引くことによって、正確に２ｍｍ間隔の平行線を描くことができる。さらにまた平行指示線（４）を当初の描線の上に重ね合わせ、直線を引くことによって正確に５ｍｍ間隔の平行線を描くことができる。以下そのような手順で、各平行指示線を用いて任意の間隔の平行線を自由に正確に容易に描くことができる。（５）は縦方向の指示線である。【０００９】  これらの指示線を直線定規（Ａ）の厚みの内部［図１（ｃ）イ−イ’断面参照］に、指示線、目盛などを印刷表示した表示体を挟んで熱圧着、接着などで表示することにより、この直定規の使用を重ねることによっても、表示が消えることがないので便利である。
【産業上の利用可能性】
【００１０】  建築の設計、製図においては、柱、壁厚などを描くときに平行線が多用されるが、この考案の直線定規は、それを従来品に勝り正確に迅速に描くことができ、使用に当たり便利となる。その他一般的な使用において平行線を描くときにも便利となる。
【図面の簡単な説明】
【００１１】
【図１】この考案の直線定規を説明する図。
【符号の説明】
【００１２】（Ａ）  直線定規
（１），（１’）  縁辺
（２），（２’）  目盛
（３），（３’），（３’’）  平行指示線
（４），（４’）  平行指示線
（５）  縦方向の指示線
【図１】
0003133177.tif 000003
(57)【要約】      （修正有）【課題】スタンド台から消火器を取り外すと感知し警報音を発するあんしん台の提供。【解決手段】スタンド台にスイッチ、ベルを組み込み、交流１００Ｖ電源で消火器、防犯スプレーの取り外しを感知し警報器や非常通報装置を差動させる。【選択図】図１
0003133173.tif 000002
【実用新案登録請求の範囲】
【請求項１】
スタンド台にスイッチ、ベルを組み込み交流１００Ｖ電源で消火器、防犯スプレーの取り外しを感知し警報器や非常通報装置を差動させる事が出来るスタンド台。
【請求項２】
スタンド台にスイッチ、ベルを組み込み直流（電池電源）で消火器、防犯スプレーの取り外しを感知し警報器や非常通報装置を差動させる事が出来るスタンド台。
【考案の詳細な説明】
〔実用新案登録請求の範囲〕
〔請求項１〕  スタンド台にスイッチ、ベルを組み込み交流１００Ｖ電源で消火器、防犯スプレーの取り外しを感知し警報器や非常通報装置を差動させる事が出来るスタンド台
〔請求項２〕  スタンド台にスイッチ、ベルを組み込み直流（電池電源）で消火器、防犯スプレーの取り外しを感知し警報器や非常通報装置を差動させる事が出来るスタンド台
〔考案の詳細な説明〕
この考案は、消火器及び防犯スプレーを載せるスタンド台にベル、スイッチを組み込み、消火器等の使用でスタンド台から消火器等を取り外すとスイッチが働き、ベル及びサイレン等の警報音を発し、消火活動、防犯活動と同時に、他人に、その異常を知らせる事が出来る、尚非常通報装置を組み合わせると消防署、警察署及び特定の人に、異常を知らせる事が出来、緊急事態発生に有効である。
【図面の簡単な説明】
【図１】  消火器、防犯スプレーとスタンド台の正面図
【図２】  スタンド台の正面断面図
【図３】  スタンド台の平面断面図
【符号の説明】
１  消火器及び防犯スプレー
２  スタンド台（あんしん台）
３  ベル
４  スイッチ
５  電源コード
【図１】
0003133173.tif 000003
【図２】
0003133173.tif 000004
【図３】
0003133173.tif 000005
(57)【要約】【課題】  本考案は、種々の材質や形状があるたわしにおいて、固い材質のたわしでは傷つきやすい食器や深さのあるコップなどの隅々を洗うのには適さず、傷つきやすい食器などを傷つけた。また、全体が気泡で形成されているスポンジたわしでは、洗い落とした汚れが気泡の中に停滞し不衛生であった。従って、粗織布でたわしを形成し、泡立てに必要な最小サイズのスポンジを芯に用い前述の欠点を解決しようとするものである。【解決手段】本考案は、長方形に裁断した粗織り布を蛇腹に折り中間部に前記の粗織り布の巾に相当する長さを有する棒状スポンジを設け、棒状スポンジを前記粗織り布全体で丸め込み結束する粗織り布たわし。【選択図】図２
0003133178.tif 000002
【実用新案登録請求の範囲】
【請求項１】
長方形に裁断した粗織り布を蛇腹に折り中間部に前記の粗織り布の巾に相当する長さを有する棒状スポンジを設け、棒状スポンジを前記粗織布全体で丸め込み結束する粗織り布たわし。
【考案の詳細な説明】
【技術分野】
【０００１】  本考案は、キッチンにおける食器類の洗浄用として使われるたわしに関するものである。
【背景技術】
【０００２】  たわしには種々の材質、形状のものがあり、代表的なものとしてワラたわしや合成繊維たわしや金属たわしがあり、これらの材質は固く、芯に使われている針金を曲げ型をなしている。また、金属たわしに限っては金属片を寄せ集め、たわしの形状をなしている。この他に気泡が集まった柔らかい材質のスポンジたわしもある。
【考案の開示】
【考案が開示しようとする課題】
【０００３】  たわしには上述のように種々の材質や形状があり、固い材質のたわしでは傷つきやすい食器や深さのあるコップなどの隅々を洗うのには適さず、傷つきやすい食器などを傷つけたりした。また、全体が気泡で形成されているスポンジたわしでは、洗い落とした汚れが気泡の中に停滞し不衛生であった。従って、粗織り布でたわしを形成し、泡立てに必要な最小サイズのスポンジを芯に用い前述の欠点を解決しようとするものである。
【課題を解決する為の手段】
【０００４】  本考案は、長方形に裁断した粗織り布を蛇腹に折り中間部に前記の粗織り布の巾に相当する長さを有する棒状スポンジを設け、棒状スポンジを前記粗織り布全体で丸め込み結束する粗織り布たわし。
【実施例】
【０００５】  以下、添付図面に示す一実施例に従って本考案の実施態様を説明する。図１は粗織り布を蛇腹状に折その中間部に洗浄液を受ける為の棒状スポンジを設けた。１は長方形の粗織り布、２は長方形粗織り布の蛇腹折り、４は棒状スポンジ。【０００６】  図２は粗織り布の蛇腹折の中に棒状スポンジを巻き込み結束した状態。結束した糸３を長く用意しその端を結び輪にすることで粗織布たわしを整理する際壁に吊すことが出来る。３は結束用糸。【０００７】  図３は洗浄液を受けて泡を立てることが可能なサイズを有するスポンジ、図３の４は中間部が膨らんでいる状態の棒状スポンジで、図３の４−１は棒状スポンジの中間部がえぐれている棒状スポンジであり、これらはスポンジを前記の粗織り布で囲って糸で結束する際、巻かれた棒状スポンジの動きを押さえ安定した使用感を得られた。４−１は中心が膨らんでいる棒状スポンジ、４−２は中心がえぐれている棒状スポンジ。【０００８】  図４はボール状態に開いた粗織り布たわしの斜視図である。本考案の粗織り布とは織り目の粗い生地で、麻や木綿又は木目を粗く織り上げた生地であれば合成繊維でも良い。５は粗織り布のたわし。
【図面の簡単な説明】
【０００９】
【図１】蛇腹に折った長方形の粗織り布の中程に置いた棒状スポンジ。
【図２】棒状スポンジを粗織り布で巻き込み中程を糸結束した。
【図３】棒状スポンジ。
【図４】粗織り布たわし斜視図。
【符号の説明】
【００１０】１  長方形の粗織り布
２  蛇腹折粗織り布
３  結束用糸
４  スポンジ芯
４−１  中心が膨らんでいるスポンジ芯
４−２  中心がえぐれているスポンジ芯
５  粗織り布たわし
【図１】
0003133178.tif 000003
【図２】
0003133178.tif 000004
【図３】
0003133178.tif 000005
【図４】
0003133178.tif 000006
(57)【要約】【目的】  この考案はメガネのつる（柄の部分）が染髪液やパーマメント剤で汚れるのを防ぐ物である。【構成】  長細い袋状の挿入口からメガネのつる（柄の部分）を差し込んで、装着する。【選択図】図１
0003133179.tif 000002
【実用新案登録請求の範囲】
【請求項１】
メガネのつる（柄の部分）に袋状のカバーを装着して、染髪液やパーマメント剤から汚れを防ぐカバー
【考案の詳細な説明】
【考案の詳細な説明】
この考案はメガネのつる（柄の部分）が染髪液やパーマメント剤で汚れるのを防ぐ物である。
従来、染髪液やパーマメント剤使用の際は、メガネのつる（柄の部分）をその液剤の汚れから保護するものが無く、メガネ使用者はメガネを外して行っていた。メガネの不要な人やコンタクトレンズ使用者は液剤使用中の待ち時間は読書などをして時間を有効に使えるが、メガネが必要な人は何もする事が無かった。
本案はその欠点を除く為に考案された物で、これを図面について説明すれば、つる（柄の部分）に袋状のカバーを装着させる。
このようにすれば、つる（柄の部分）が液剤で汚れる事は無いので液剤使用中にメガネの使用が可能となる。
なお、この袋状のカバーは、湾曲部分を直線にしても良く、また、その素材はナイロン、ビニール、撥水性の紙など、液剤からつる（柄の部分）が汚れ無い様に保護出来る物であれば良い。
【図面の簡単な説明】
【図１】本案の正面図
【図２】本案を装着した時の斜視図
【図３】本案の湾曲部分を直線にした正面図
【符号の説明】
１はつる部分、２はカバー、３は挿入口。
【図１】
0003133179.tif 000003
【図２】
0003133179.tif 000004
【図３】
0003133179.tif 000005
(57)【要約】      （修正有）【課題】布団等の上で簡単にゴルフゲームをする。【解決手段】ホール付の網４を布団等５の上に敷く事により、ミニゴルフボールが布団の窪みや隙間に入り込まなくしたグリーンを再現させ、ミニゴルフボールの遊具１をミニゴルフクラブの遊具２で打つ事により、ホール３に落とせるようにした。【選択図】図１
0003133155.tif 000002
【実用新案登録請求の範囲】
【請求項１】
円状の網に筒状のホールを装着させ、これを布団等の上に被せ、ホールを布団等の上から押し込む事により、ゴルフのグリーンを再現する遊具。
【考案の詳細な説明】
【技術分野】
【０００１】  本考案は、ゴルフゲームに使用する遊具に関する。
【背景技術】
【０００２】  従来のゴルフゲームは手軽に出来るものではなかった。
【考案の開示】
【考案が解決しようとする課題】
【０００３】  ゴルフをするにはゴルフ場を必要とし、ＴＶゲームにおいてはゴルフ球を打つ感覚が欠如していた。
【課題を解決するための手段】
【０００４】  上記目的を達成する為に、縮小化したゴルフクラブ、ゴルフボールを使用し、筒状ホールを装着した網を布団等の上に敷く事でグリーンを再現した。
【考案の効果】
【０００５】  実際のゴルフ場でのプレイ同様、球を自由に打てる感覚が楽しめる。
【考案を実施するための最良の形態】
【０００６】  本考案に係るホール付グリーンは図１に示すように円状の網にホールを当接し、設置されている網４の素材はポリ塩化ビニールを使用する事が望ましく、筒状ホール３は布団等５の上から押し込む形となる為、金属を使用する事が望ましい。
【図面の簡単な説明】
【０００７】
【図１】網とホールの斜視図である。
【図２】網とホールの断面図である。
【符号の説明】
【０００８】  １  縮小化したゴルフボール
２  縮小化したゴルフクラブ
３  縮小化したホール
４  網
５  布団等
【図１】
0003133155.tif 000003
【図２】
0003133155.tif 000004
(57)【要約】      （修正有）【課題】螺子等で締付固定化することにより生じる作業性の悪さや作動不良などの様々な問題点を改善する射出成形機のノズルヒーター保護カバーを提供する。【解決手段】射出成形機におけるノズル部１の周囲を筒状に囲むヒーター２をその上方において端縁を向かい合わせて筒状に丸めた円筒状保護板３で囲むように保護するにあたり、円筒状保護板３の両端縁は衿状に折り曲げつつ先方がより広がるようなテーパを設けて互いに間隔を保つようにし、その衿状部３Ａに掛合スライドする掛合部６Ａを両側に有し上記のテーパ付き間隔部７と略同形である固定用スライド板６を円筒状保護板３に着脱自在にスライド固定して、ノズルヒーターとする。【選択図】図７
0003133157.tif 000002
【実用新案登録請求の範囲】
【請求項１】
射出成形機におけるノズル部の周囲を筒状に囲むヒーターをその上方において端縁を向かい合わせて筒状に丸めた円筒状保護板で囲むように保護するにあたり、該円筒状保護板の両端縁は衿状に折り曲げつつ先方がより広がるようなテーパを設けて互いに間隔を保つようにし、その衿状部に掛合スライドする掛合部を両側に有し上記のテーパ付き間隔部と略同形である固定用スライド板を該円筒状保護板に着脱自在にスライド固定して成ることを特徴とする射出成形機におけるノズルヒーター保護カバー。
【考案の詳細な説明】
【技術分野】
【０００１】この考案は、プラスチック等の射出成形機におけるノズル部に設けられるヒーターの保護カバーに関する。
【背景技術】
【０００２】射出成形機内で溶融した樹脂がノズル部１で冷やされないように、その周りにヒーター２及び保護カバーが通常設けられている。その保護カバーは、現状では筒状に丸められた円筒状保護板３で該ヒーター２を囲むようにして、その上部端縁に設けられた螺子孔４に螺子棒５を差し込み締付固定化して成るものが、全般的に使われている（図１、図２、図３）。
【考案の開示】
【考案が解決しようとする課題】
【０００３】このような在来のノズルヒーター保護カバーは、取り付けに締具を要して面倒であるばかりでなく、螺子締めのため外径が大きくなって金型のスプロケットに当たり損傷し易く、締付螺子の焼付きも起こりがちであり、成形時におけるノズルタッチ不良からくる樹脂漏れにより螺子の作動不良を生じたり、或いは色替え、樹脂替え等の際のノズル外しが多発のためにヒーター切れが多いなどの問題点があった。本考案はかかる問題点を解決することを課題とする。
【課題を解決するための手段】
【０００４】射出成形機におけるノズル部１の周囲を筒状に囲むヒーター２をその上方において端縁を向かい合わせて筒状に丸めた円筒状保護板３で囲むように保護するにあたり、円筒状保護板３の両端縁は衿状に折り曲げつつ先方がより広がるようなテーパを設けて互いに間隔を保つようにし、その衿状部３Ａに掛合スライドする掛合部６Ａを両側に有し上記のテーパ付き間隔部７と略同形である固定用スライド板６を円筒状保護板３に着脱自在にスライド固定して、本考案のノズルヒーター保護カバーとする。【０００５】この際、円筒状保護板３の上前方は両端縁とも約４５°ほど斜めに切欠して、固定用スライド板６を出し入れし易くしたり、或いはそれがヒーター枠から突出しないように配慮することが望ましい。【０００６】固定用スライド板６も、その両側縁を細く衿状に折り曲げれば、前記の掛合部６Ａの機能を果たすことになる。また出し入れ作業を楽にするために、後端を小さく筒状に丸め、そこに保持用の芯材８を通して用いるようにしてもよい。【０００７】本考案のノズルヒーター保護カバーを取り付けるには、在来通り射出成形機のノズルの周りのヒーター２を覆うように円筒状保護板３をその上方にテーパ付き間隔部７を保ちつつ取り付け、その先方（テーパが狭まりかつ４５°切欠した方）より固定用スライド板６を幅広の方から衿状部３Ａに掛合部６Ａを掛合させつつ該間隔部７を塞ぐようにスライドしていけば、自ずからそれらが固定される。
【考案の効果】
【０００８】このように本考案によれば、従来のような螺子材や締め具を用いることなくワンタッチで取り付け固定させることができるから、その作業性が著しく向上すると同時に、締付螺子の焼付きや樹脂漏れによる螺子の作動不良の憂いもなくなり、また螺子締めのための突出部もなくなるために金型のスプロケットに当たって破損するおそれもなく、更に色替えや樹脂替えに伴う頻繁なノズル外しやヒーター切れにも対処し易いなど、多大な効果がある。
【考案を実施するための最良の形態】
【０００９】ノズル及びヒーターを覆うための所定寸法の０．４ｍｍ厚ステンレス板を前記のように３．５ｍｍ幅の衿状部３Ａとテーパ付き間隔部７を形成するように筒状に丸めて円筒状保護板３とし、一方、これに掛合させる固定用スライド板６には同じく３．５ｍｍ幅の衿状折込みを両側に形成した該間隔部と略同形の０．４ｍｍ厚のステンレス板の中央部に０．８ｍｍ厚の補強用ステンレス板を溶着し一体化させると共に、その端を直径３ｍｍ程度に丸めて前記のような芯材８を通すための通し孔に形成する。またヒーター２に繋ぐヒーターリード線９を通すための線止め孔１０を予め円筒状保護板３の中央下部に設けておく。なお本考案はかかる例に限定されるものでないことは言うまでもない。
【産業上の利用可能性】
【００１０】このような本考案のノズルヒーター保護カバーは、現状を大きく改善するためニーズが高く、かつ製造及び実施が容易であるから、産業上の利用可能性は十分にあるといえる。
【図面の簡単な説明】
【００１１】
【図１】射出成形機ノズル部の概略側面図
【図２】従来の保護カバー取付部の断面図
【図３】従来の保護カバーの平面図
【図４】本考案における円筒状保護板取付部の断面図
【図５】本考案における円筒状保護板の平面図
【図６】本考案における固定用スライド板の平面図
【図７】本考案の固定用スライド板を取り付けた円筒状保護板の平面図
【符号の説明】
【００１２】１……ノズル部
２……ヒーター
３……円筒状保護板
３Ａ……衿状部
４……螺子孔
５……螺子棒
６……固定用スライド板
６Ａ……掛合部
７……間隔部
８……芯材
９……ヒーターリード線
１０……線止め孔
【図１】
0003133157.tif 000003
【図２】
0003133157.tif 000004
【図３】
0003133157.tif 000005
【図４】
0003133157.tif 000006
【図５】
0003133157.tif 000007
【図６】
0003133157.tif 000008
【図７】
0003133157.tif 000009
(57)【要約】      （修正有）【課題】簡単な構造、仕組みにも関わらず、断熱効果が高くて安価な断熱材の提供。【解決手段】波型をした四角い紙の上下、左右に平らな紙Ｄを貼りそれを数個重ね合わせ、それぞれの間にアルミ箔Ｂを挿入し、その全体の周りをセラミック含有塗料を塗った布袋で包んだ構造の断熱材Ａ。天井裏、壁と壁の間、カーテンの代わり、ビニールハウスでの使用により、寒さ、暑さを和らげ、暖冷房による電力の消耗を抑える。【選択図】図１
0003133159.tif 000002
【実用新案登録請求の範囲】
【請求項１】
波型をした四角い紙の上、下、並びに側面を紙で被ったものを数層重ね、それぞれの間にアルミ箔を挟入し、その全体の周りをセラミック含有塗料を塗布した布で被った構造の断熱材。
【考案の詳細な説明】
【考案の利用分野】
【０００１】      環境、衛生に関するものである。
【背景技術】
【０００２】    夏は暑く、冬は寒いというしぜん環境の中で、人間は夏は涼しい事を求め、冬は暖かい事を望んだ。この様な事は大体人間の本性である。そこで人々はいろいろ工夫してきたのである。寒さに対しては焚き火をしたり、炭をおこしたりし、又家では瓦の下に厚い粘土を用いたり戸や窓の隙間をなくしカーテンをつけたり暖房器を用いたりして寒さを防ぎ、夏には団扇を使ったり風通しをよくしたり、日覆をしたり扇風機をつかったりして暑さをしのいできたのである。
本考案もその種類のものである。
【翻案が解決しょうとする課題】
【０００３】プレハブ住宅や簡易住宅等では殊更季節の影響を受けやすく、冬は寒く夏は暑い。そこで冷暖房器具を用いるのであるが、電力の使用料が馬鹿にならないのである。そこでいろいろな断熱材を用いるのであるが、より軽くより安価でより手軽なものはないかともとめられているのである。そこで考えられたのが次の物である。
【課題を解決しようとする手段】
【０００４】      波型をした紙の上下左右に平らな紙を貼り、これを数個重ねるのである。紙性の軽い断熱材を用いてその目的を果たそうとするのである。すなわちそのそれぞれの間にアルミ箔を挿入するのである。そしてその全部の周りを布でつつむのであるが、その布は難燃性を高めるためにセラミック含有の塗料を塗りつけるのである。この袋は断熱効果がかなりきたいされるのである。簡単な構造、仕組みにも関わらず断熱効果が高いのである。
【０００５】    天井裏に用いれば、屋根からの寒さ、暑さをやわらげ、壁と壁の間に用いれば、又同様な効果があり、窓にはカーテンの代わりに用いれば断熱効果があり暖冷房の時の電力の消耗も少なくてすみ、ビニールハウスに使用してもコストが少しでも減るとおもわれる。
【実施例】
【０００６】      ５０ｃｍ×５０×５０ｃｍのベニヤ板の箱を作り、内側を本考案の断熱材で全部被い、密閉したものを露天に出し、箱の内部と外部の温度の差を比べると外部の温度に対して、内部の温度の差は６度から７度あり明らかに断熱材の効果を認めた。
【考案の効果】
【０００７】    本考案の断熱材を用いれば冬は暖かく夏は涼しくすることができる。構造簡単、製作安易、かなりの効果を認め安価である。
【図面の簡単な説明】
【０００８】
【図１】  斜位図
【図２】  正面図
【図３】  側面図
【図４】  水平面図
【符号の説明】
Ａ…………………外側の袋
Ｂ…………………アルミ箔
Ｃ…………………波型の紙
Ｄ…………………平らな紙
【図１】
0003133159.tif 000003
【図２】
0003133159.tif 000004
【図３】
0003133159.tif 000005
【図４】
0003133159.tif 000006
(57)【要約】      （修正有）【課題】自動計算が出来るシステムが組み込まれた手の平サイズの機械で、操作が簡単で正確に表示・確認できる器具を提供する。【解決手段】グラウンドゴルフのプレー中、各ホールの打数確認をするために、手の平サイズに作られたホール毎の打数・総合打数・各コース毎の記録メモリーが出来、本部集計器具に直接入力が可能にした。【選択図】図１
0003133153.tif 000002
【実用新案登録請求の範囲】
【請求項１】
グラウンドゴルフのプレー中、各ホールの打数確認するために手の平サイズに作られた、ホール毎の打数・総合打数・各コース毎の記録メモリーが出来、本部集計器具に直接入力が可能なグラウンドゴルフ用スコアラー。
【考案の詳細な説明】
【技術分野】
【０００１】  本考察はグラウンドゴルフのプレー中、手の平サイズで操作が簡単でかつ正確に表示、確認、記憶（メモリー）が出来、集計機械に直接入力可能であること。
【背景技術】
【０００２】  従来は全て手計算で、所定用紙に毎時記入、ホールアウト後集計し本部集計も手計算で順位を決めるが、集計時間が長く又間違い時混乱が生じていた。
【考案の開示】
【考案が解決しようとする課題】
【０００３】  手計算から自動計算が出来るシステムが組み込まれた手の平サイズの機械で操作が簡単で正確に表示・確認できる器具を作る事で時間短縮と正確に出来るようにする。
【課題を解決するための手段】
【０００４】  グラウンドゴルフのプレー中、各ホールの打数確認するために手の平サイズに作られた、ホール毎の打数・総合打数・各コース毎の記録メモリーが出来、本部集計器具に直接入力が可能なスコアラー。
【考案の効果】
【０００５】  本考案のスコアラーは操作が簡単で正確に表示確認が出来、集計も早く、待ち時間もなくなる。
【考案を実施するための最良の形態】
【０００６】  ▲１▼はスイッチボタンで、点灯後長押しで電源が切れる。
▲２▼はメモリーボタンで、一回押すごとに全コースの成績が表示される。
▲３▼はコース変更ボタンで、押すと表示部▲１０▼の数字が９〜１６、２回押すと１７〜２４、３回押すと２５〜３２に変更される。
▲４▼はホール変更ボタンで、押すとそのコースのスタートホール位置が変更される。たとえば１２３４５６７８の順番から２３４５４６７８１に変更表示される。
▲５▼は打数ボタンで、このボタン▲５▼は使用時・打数・登録・各コースのスタートホール変更に使用する。
▲６▼は訂正ボタンで、押すと表示部▲１５▼が０に戻り、打数ボタン▲５▼を押して正確に戻す。
▲７▼は登録ボタンで押すと左側から点滅し各桁の数字を打数ボタン▲５▼で出し、登録ボタン▲７▼で次の桁に移動し順に決定する。
▲８▼は出力ボタンで、押すと出力部▲１７▼から赤外線で集計機器に入力できる。
▲９▼は確認ボタンで各ホールアウト時同組で回る他人に押してもらう事で正式数となりホール毎の打数欄に入る。
▲１０▼はホール表示部で、コース変更ボタン▲３▼を押すことで数字が９〜１６、１７〜２４、２５〜３２に変更される。
▲１１▼はホール毎スコア表示部で、各ホールの打数が表示される。
▲１２▼はコース毎成績表示部で、左端（Ｈの欄）はホールインワンの回数、中央（２の欄）は２打上がりの回数、右端（３の欄）は３打上がりの回数が表示される。
▲１３▼は競技者の登録ナンバーを登録する表示部で、登録数字を８桁で表示。
▲１４▼の表示部にはコース毎のトータルが表示される。ホールインワンが成立した場合は表示部▲１１▼にはそのホール１打が表示されるが、この表示部▲１４▼では３打マイナスされ計算される。
▲１５▼は現ホール打数表示部。
▲１６▼はラウンド回数表示部。
▲１７▼は出力部で、出力ボタン▲８▼を押す事で集計機器にデータを送信できる。
【図面の簡単な説明】
【０００７】
【図１】  本考案スコアラーの正面図。
【図２】  本考案スコアラーの斜視図。
【図３】  本考案スコアラーの側面図。
【符号の説明】
【０００８】    １・・・スイッチボタン
２・・・メモリーボタン
３・・・コース変更ボタン
４・・・ホール変更ボタン
５・・・打数ボタン
６・・・訂正ボタン
７・・・登録ボタン
８・・・出力ボタン
９・・・確認ボタン
１０・・・ホール表示部
１１・・・ホール毎スコア表示部
１２・・・コース毎成績
１３・・・選手登録ナンバー表示部
１４・・・コーストータル打数表示部
１５・・・減ホール打数表示部
１６・・・ラウンド回数表示部
１７・・・出力部
【図１】
0003133153.tif 000003
【図２】
0003133153.tif 000004
【図３】
0003133153.tif 000005
(57)【要約】      （修正有）【課題】利用者前面のみからのエプロンの脱着を容易にし、介助する人の助けとする。また、広範囲の粘着シートが洋服との一体化を導き、エプロンのずれ、浮き上がりを防止する。【解決手段】容易に剥離する保護シートを有する適当な粘着力を持つ背面広範囲の粘着シートを固定手段とし、首側方及び首後ろ部分での固定具を廃止する。また襟部分にカットを入れ、洋服の襟ぐりに粘着シート面を折り巻き込み、洋服とエプロンが一体化する。【選択図】図１
0003133101.tif 000002
【実用新案登録請求の範囲】
【請求項１】
従来からある表面に不織布・布等の吸収性のある材質を、その背面に樹脂防水層を有する布や紙を使用して作ったエプロンに、その裏面に容易に剥離する粘着保護シートを有する広範囲の粘着シートを固定した事を特徴とする使い捨て貼り付け式エプロン。
【請求項２】
請求項１の使い捨て貼り付け式エプロンを洋服の襟の前部分に固定する際、襟周りの固定部分に３箇所カットを入れ、その部分を利用者の洋服の襟ぐりに折り巻き込み、洋服に粘着シートで固定することで、唾液や飲食物等の汚れが洋服の襟ぐりにつかない事を特徴とする請求項１の使い捨て貼り付け式エプロン。
【考案の詳細な説明】
【技術分野】
【０００１】  本考案は、障害者（児）や介助が必要な老人、乳幼児や児童等、食事をする時に使用する、背面広範囲に粘着シートを用いた、使い捨て貼り付け式エプロンに関するものである。
【背景技術】
【０００２】従来、裏面に防水樹脂層加工を施した不織布を用い、首後ろにてシールで留める使い捨てエプロンがあった。首の後ろで縛るビニル等の樹脂を使ったエプロンがあった。
また、服前面に点状の粘着シールで固定する使い捨てエプロンがあった。
【考案の開示】
【考案が解決しようとする課題】
【０００３】  従来使い捨てエプロンは、首の後ろで紐などを縛るタイプか粘着シール固定式であっても点状で定着するものがあった。
首の後ろで紐をしばるタイプの製品は、利用者にとっては首がエプロンと擦れ、窮屈な感覚があり、材質によっては首周りからの異音が発生した。また装着しようとする人は利用者の首の後ろ側に手を回して固定するか利用者の後ろにまわって固定する必要があり、やや装着が容易ではなかった。
粘着シール式タイプの製品は、首後ろ又は肩上でのシールでの点状定着であり、やはり装着上首周りの違和感があった。また、点状の粘着シートで固定するタイプの製品は利用者の体の動き・ねじれなどによってはエプロンが体から浮き上がり、目的を遂行できないものがあった。
【課題を解決するための手段】
【０００４】  本考案は容易に剥離する保護シートを有する適当な粘着力を持つ裏面広範囲の粘着シートを固定手段とし、首側方及び首後ろ部分での固定具を廃止する。また襟部分にカットを入れ、洋服の襟ぐりに粘着シート面を折り巻き込み、洋服とエプロンが一体化することで上記課題を解決するものである。
【考案の効果】
【０００５】  請求項１の考案は容易に剥離する保護シートを有する粘着シートを広範囲に用いる事で利用者前面のみからのエプロンの脱着を容易にし、介助する人の助けとなる。また、広範囲の粘着シートが洋服との一体化を導き、エプロンのずれ、浮き上がりを防止する。また、首側方・後方の固定部分を廃止したことで、利用者は違和感なく食事を楽しむことが出来る。比較的首の短い乳幼児に対しては、特に効果が見込める。
請求項２の考案はエプロンの襟部分にカットを入れ、洋服の襟ぐりにエプロンを折り巻き込むことにより、首周りを締め付けることなく洋服の襟ぐりの汚れを防止できる。
そして材質に不織布等を用い安価に製造することにより、携帯性に優れ、使い捨てが可能となり、持ち帰って洗濯する手間を省ける。
【考案を実施するための最良の形態】
【０００６】  エプロンの裏面上部約半分の面積を粘着シート面（３，４）、下部約半分を非粘着シート面とすることで、衣服に対する接着力と、下部に設置するポケットの柔軟性を両立し、飲食物の捕獲に寄与する。また粘着部を保護する保護シートは、安易にはずすことができる仕様とし、装着手間の省力化に寄与する。またエプロンの襟部分は３箇所切り込みを入れ、洋服の襟ぐり部分に折り巻き込むことにより、襟ぐりにつく汚れを防止することができる。
【図面の簡単な説明】
【０００７】
【図１】  使い捨て貼り付け式エプロンの正面図
【図２】  使い捨て貼り付け式エプロンの粘着シート部分の断面図
【図３】  使い捨て貼り付け式エプロン装着図
【図４】  使い捨て貼り付け式エプロンの襟ぐりの装着断面図
【符号の説明】
【０００８】  １    表層表面の不織布等面
２    表層裏面の樹脂による防水加工層
３    粘着シート層
４    剥離容易な粘着シート保護剥離紙層
５    襟部分の巻き込み貼り付け用切れ込み
６ａ−６ｂ    ［図２］の断面図の示す切断面
７    洋服襟  断面
【図１】
0003133101.tif 000003
【図２】
0003133101.tif 000004
【図３】
0003133101.tif 000005
【図４】
0003133101.tif 000006
【手続補正書】
【提出日】平成19年3月13日(2007.3.13)
【手続補正１】
【補正対象書類名】実用新案登録請求の範囲
【補正対象項目名】全文
【補正方法】変更
【補正の内容】
【実用新案登録請求の範囲】
【請求項１】
表面に不織布・布等の吸収性のある材質を、その背面に樹脂防水層を有する布や紙を使用して作ったエプロンに、その裏面に容易に剥離する粘着保護シートを有する広範囲の粘着シートを固定した事を特徴とする使い捨て貼り付け式エプロン。
【請求項２】
請求項１の使い捨て貼り付け式エプロンを洋服の襟の前部分に固定する際、襟周りの固定部分に３箇所カットを入れ、その部分を利用者の洋服の襟ぐりに折り巻き込み、洋服に粘着シートで固定することで、唾液や飲食物等の汚れが洋服の襟ぐりにつかない事を特徴とする請求項１の使い捨て貼り付け式エプロン。
(57)【要約】      （修正有）【課題】水洗トイレの水槽タンク上の手洗い洗面に落ちにくい水アカ、汚れを着けずいつまでも新しい手洗い洗面陶器を維持出来る様、カバーは手洗い洗面部分に簡単に取り付け可能、又汚れたら別の場所で簡単に洗って又使用出来る、価格的にも使い捨て可能な水洗トイレの水槽タンク上の手洗い洗面カバー。【解決手段】カバーの材質は、水を通さない適宜素材で手洗い洗面陶器を覆い被せカバー１を設ける手洗い水が出る水道管２の部分は、穴を明け通す、通した穴部分を隠し見栄え良くする為水道管の元にもう一枚飾りカバー３を付け重ねる、陶器の窪みはカバーの左右、両端につまみひだ４を作り陶器窪みに沿う様にする、水の流れ出る穴は、陶器の穴５に重ね合う様にする。【選択図】図１
0003133108.tif 000002
【実用新案登録請求の範囲】
【請求項１】
水洗トイレの水槽タンク上の手洗い洗面部分に、水を通さない材質、適宜素材で、陶器洗面部分を覆い被せカバーを設ける、陶器の窪みは、カバーをつまみ、ひだを作り陶器の窪みに沿う様にし、又、水の流れ出る穴は、陶器の穴に重ね合う様にすることを特徴とした水洗トイレの水槽タンク上の手洗い洗面カバー。
【考案の詳細な説明】
【技術分野】
【０００１】  本考案は、水洗トイレの水槽タンク上の手洗い洗面部分にカバーを設けた、水洗トイレの水槽タンク上の手洗い洗面に関するものである。
【背景技術】
【０００２】  水洗トイレの水槽タンク上の手洗い洗面部分の掃除は、水の出る時間は限られているし飛び散らない様にしなければならない、ついうっかり落ちにくい水アカを着けてしまい不便である。
【考案の開示】
【考案が解決しようとする課題】
【０００３】  水洗トイレの水槽タンク上の手洗い洗面に落ちにくい水アカ、汚れを着けずいつまでも新しい手洗い洗面陶器を維持出来る様、又すでに落ちにくい水アカ、汚れのある場合は目隠しになる、カバーは手洗い洗面部分に簡単に取り付け可能、又汚れたら別の場所で簡単に洗って又使用出来る、価格的にも使い捨て可能な水洗トイレの水槽タンク上の手洗い洗面カバーを設けることによって前述の問題点を解決している。
【課題を解決するための手段】
【０００４】  本考案は、水洗トイレの水槽タンク上の手洗い洗面部分に水を通さない材質、ナイロン、ビニール等適宜素材でカバーを設ける、手洗い洗面、陶器の窪みは、カバーの左右、両端中央をつまみ、ひだを作り陶器窪みに沿うようにする、水の流れ出る穴は、陶器の穴に重ね合う様にする。
【考案の効果】
【０００５】  上述の様に、本考案の水洗トイレの手洗い洗面に、簡単に取りはずし可能なカバーを設けることで、いつでも汚れたら取りはずし、洗って又使用出来る、価格的にも使い捨て可能であろう、直接陶器に水が当たらないため、陶器に水アカ、汚れ、シミを作ることなくいつまでも新しい手洗い洗面陶器が維持できる、又すでに落ちにくい水アカ、シミのある場合は汚れ目隠しカバーともなる、又カバーの色、柄、デザインによってトイレの雰囲気を変えることが出来る。
【考案を実施するための最良の形態】
【０００６】  カバーは水を通さないナイロン、ビニール等適宜素材を使用し、手洗い洗面の手洗い水が出る水道管の元の部分は、通した穴部分を隠し、見栄えを良くするため、水道管の元にもう一枚飾りカバーをつけ重ねる、手洗い洗面陶器の窪みは、カバーの左右、両端中央をつまみひだを作り、陶器窪みに沿う様にする、水の流れ出る穴は、陶器の穴に重ね合う様にする、カバーの色、柄、デザインによってずい分雰囲気も変える事が出来る。
【実施例】
【０００７】  以下添付図面に従って一実施例を説明する、
水洗トイレの水槽タンク上の手洗い洗面カバー１は、水を通さない材質、ナイロン、ビニール等を使用し、手洗い水が出る水道管２の部分に穴を明け通す、通した穴部分を隠すため水道管３の元のみかざりカバーをもう一枚付け重ねる、陶器の窪みはカバーの左右、両端中央をつまみ、ひだ４を作り陶器の窪みに沿う様にする、水の流れ出る穴５は陶器の穴に重ね合う様にする。
【図面の簡単な説明】
【０００８】
【図１】本考案の、水洗トイレの水槽タンク上の手洗い洗面カバーの実施例を示す斜面図である。
【符号の説明】
【０００９】１  水洗トイレの水槽タンク上の手洗い洗面カバー
２  水道管
３  水道管の元のみの穴隠し飾りカバー
４  つまみひだ
５  水の流れ出る穴
【図１】
0003133108.tif 000003
【手続補正書】
【提出日】平成19年3月17日(2007.3.17)
【手続補正１】
【補正対象書類名】実用新案登録請求の範囲
【補正対象項目名】全文
【補正方法】変更
【補正の内容】
【実用新案登録請求の範囲】
【請求項１】
水洗トイレの水槽タンク上の手洗い部分を覆い被せる手洗い部分カバーであって、手洗い部分における水槽タンクへの注入穴に重なり合う位置に水の流れ出る穴が設けられ、前記手洗い部分の両端に当たる部分には、該手洗い部の窪みに沿う様にひだが設けられていることを特徴とする手洗い部分カバー。